(57)【要約】【課題】  所謂ヒートン等と称される引掛金具の取付用ビットの提供。【解決手段】  ネジ付脚部Ｍａとフック部Ｍｂを有する引掛金具Ｍを電動ドリルを介して家屋の壁や柱に取り付ける引掛金具の取付用ビットであって、引掛金具Ｍのフック部Ｍｂを挾持する断面Ｕ字状の挾持体１と、該挾持体１を外側から抱持する断面Ｕ字状の回転体１１とから成り、上記挾持体１の内面に引掛金具Ｍのフック部Ｍｂの形状と合致する保持溝３を形成し、上記回転体１１の連結部に電動ドリルの顎部に回転可能に装着されるシャフト１４を延設し、且つ、挾持体１と回転体１１のいずれか一方に係合凸部を設け、他方に該係合凸部と脱着可能に係合する係合凹部１３を設けたことを特徴とする。【選択図】  図１
2009066704.tif 000002
【特許請求の範囲】
【請求項１】
ネジ付脚部とフック部を有する引掛金具を電動ドリルを介して家屋の壁や柱に取り付ける引掛金具の取付用ビットであって、引掛金具のフック部を挾持する断面Ｕ字状の挾持体と、該挾持体を外側から抱持する断面Ｕ字状の回転体とから成り、上記挾持体の内面に引掛金具のフック部の形状と合致する保持溝を形成し、上記回転体の連結部に電動ドリルの顎部に回転可能に装着されるシャフトを延設し、且つ、挾持体と回転体のいずれか一方に係合凸部を設け、他方に該係合凸部と脱着可能に係合する係合凹部を設けたことを特徴とする引掛金具の取付用ビット。
【請求項２】
挾持体のＵ字形状を画成する連結部は、薄肉ヒンジを介して開閉可能に連結されていることを特徴とする請求項１記載の引掛金具の取付用ビット。
【請求項３】
挾持体側に係合凸部を設け、回転体側に係合凹部を設けたことを特徴とする請求項１乃至請求項２のいずれかに記載の引掛金具の取付用ビット。
【発明の詳細な説明】
【技術分野】
【０００１】
本発明は、電動ドリルの顎部（ビットホルダー）に回転可能に装着されて、カレンダーやハンガー等を引っ掛ける引掛金具を家屋の壁や柱に取り付ける取付用ビットに関するものである。
【背景技術】
【０００２】
従来において、所謂ヒートン等と称される引掛金具を家屋の壁や柱に取り付ける場合には、具体的には図示しないが、予め、壁や柱の取付箇所に下穴を開設して、該下穴に引掛金具のネジ付脚部を差し込んで、引掛金具のフック部を手で握りながら回転させて、引掛金具のネジ付脚部を上記した下穴に手作業で螺着することにより、引掛金具を壁や柱に取り付けていた。
【発明の開示】
【発明が解決しようとする課題】
【０００３】
従って、従来にあっては、引掛金具のフック部を手で握りながら回転させなければならないので、これだけでも、取付作業が大変となることは言うまでもないが、特に、引掛金具の本数が多くなると、同様な作業を何回も繰り返さなければならないので、取付作業が徒に大変となる嫌いがあった。又、引掛金具のフック部を手で握って回転させる過程で、誤って、指を痛めてしまう恐れも十分にあった。
【課題を解決するための手段】
【０００４】
本発明は、斯かる従来の引掛金具の取付作業における課題を有効に解決するために開発されたもので、請求項１記載の発明は、ネジ付脚部とフック部を有する引掛金具を電動ドリルを介して家屋の壁や柱に取り付ける引掛金具の取付用ビットであって、引掛金具のフック部を挾持する断面Ｕ字状の挾持体と、該挾持体を外側から抱持する断面Ｕ字状の回転体とから成り、上記挾持体の内面に引掛金具のフック部の形状と合致する保持溝を形成し、上記回転体の連結部に電動ドリルの顎部に回転可能に装着されるシャフトを延設し、且つ、挾持体と回転体のいずれか一方に係合凸部を設け、他方に該係合凸部と脱着可能に係合する係合凹部を設けたことを特徴とする。
【０００５】
請求項２記載の発明は、請求項１を前提として、挾持体のＵ字形状を画成する連結部は、薄肉ヒンジを介して開閉可能に連結されていることを特徴とする。
【０００６】
請求項３記載の発明は、請求項１乃至請求項２を前提として、挾持体側に係合凸部を設け、回転体側に係合凹部を設けたことを特徴とする。
【発明の効果】
【０００７】
依って、請求項１記載の発明にあっては、挾持体の内面に形成された保持溝内に引掛金具のフック部を収納しながら挾持し、次いで、係合凸部と係合凹部との係合状態を得て、該挾持体の外側を回転体で抱持した後、回転体側のシャフトを電動ドリルの顎部に回転可能に装着すれば、引掛金具自体を電動ドリルを利用して自動的に回転させることができる関係で、従来のような下穴を開設しなくとも、取付用ビット自体の回転を得て、引掛金具のネジ付脚部を家屋の壁や柱に打ち込むことが可能となるので、例え、引掛金具の本数が多くなっても、取付作業が頗る容易となる。又、引掛金具を取り付けた後は、回転体を挾持体から引き抜いて、挾持体の引掛金具のフック部に対する挾持状態を解除すれば、ビット自体を引掛金具から取り外せるので、後は、引掛金具のフック部にカレンダーやハンガー等を引っ掛けることが可能となる。
【０００８】
請求項２記載の発明にあっては、挾持体のＵ字形状を画成する連結部は、薄肉ヒンジを介して開閉可能に連結されている関係で、保持溝内に引掛金具のフック部を収納する場合でも、保持溝内から引掛金具のフック部を取り外す場合でも、断面Ｕ字形状の挾持体を展開状態に開放できるので、その作業が容易となる。
【０００９】
請求項３記載の発明にあっては、挾持体側に係合凸部を設け、回転体側に係合凹部を設けた関係で、構造が簡素化されて、取付用ビット自体を可能な限り小型化できる。
【発明を実施するための最良の形態】
【００１０】
本発明は、ネジ付脚部とフック部を有する引掛金具を電動ドリルを介して家屋の壁や柱に取り付ける引掛金具の取付用ビットを前提として、引掛金具のフック部を挾持する断面Ｕ字状の挾持体と、該挾持体を外側から抱持する断面Ｕ字状の回転体とから成り、上記挾持体の内面に引掛金具のフック部の形状と合致する保持溝を形成し、上記回転体の連結部に電動ドリルの顎部に回転可能に装着されるシャフトを延設し、且つ、挾持体と回転体のいずれか一方に係合凸部を設け、他方に該係合凸部と脱着可能に係合する係合凹部を設けることにより、引掛金具自体を電動ドリルを利用して自動的に回転させることができるので、手作業で、引掛金具を無理に回転させなくとも、引掛金具を家屋の壁や柱に簡単に打ち込むことを可能となしたものである。
【実施例】
【００１１】
以下、本発明を図示する好適な実施例に基づいて詳述すれば、該実施例に係る引掛金具の取付用ビットは、図１に示す如く、鍔部Ｍｃを備えたネジ付脚部ＭａとＬ字状に折曲したフック部Ｍｂを有する所謂ヒートン等と称せられる引掛金具Ｍを電動ドリルを介して家屋の壁や柱に取り付けることを目的として開発されたもので、その主たる構成部品は、引掛金具Ｍのフック部Ｍｂを挾持する断面Ｕ字状を呈する合成樹脂製の挾持体１と、該挾持体１を外側から抱持する断面Ｕ字状を呈する金属製の回転体１１とから成る。
【００１２】
そして、前者の挾持体１は、図２にも示す如く、その対向する挾持片２の一方の内面に、引掛金具Ｍのフック部Ｍｂの折曲形状と合致するＴ字状の保持溝３を形成すると共に、同対向する挾持片２の外面に、後述する回転体１１側のスリット１３に脱着可能に係合する一対の係合凸部４を設け、且つ、そのＵ字形状を画成する連結部に薄肉ヒンジ５を介在させて、Ｕ字状に閉じ合わせて引掛金具Ｍを挾持する折畳状態と、Ｕ字形状を解いて引掛金具Ｍのフック部Ｍｂを上記保持溝３内に収納できる展開状態とに開閉できる構成となっている。
【００１３】
尚、本実施例では、引掛金具Ｍのフック部ＭｂがＬ字状に折曲されているので、フック部Ｍｂの自由端が左右どちら向きになっても、フック部Ｍｂを収納できるように、その保持溝３をＴ字形状となしている。
【００１４】
又、後者の回転体１１は、図示する如く、その対向する側片１２の中央部に、上記挾持体１の各係合凸部４を脱着可能に係合する係合凹部たる一対のスリット１３を設けると共に、Ｕ字形状を画成する連結部の外面に電動ドリルの顎部（ビットホルダー）に回転可能に装着される金属製のシャフト１４を溶接などで延設する構成となっている。尚、各側片１２のスリット１３が設けられていない先端縁には、挾持体１の差し込みを容易とするためのテーパー形状を積極的に付与するものとする。又、シャフト１４は、電動ドリルの顎部に装着させるために、その先端部側を断面六角形状となして、該六角形状の先端部の中程に環状凹溝を付与するものとする。
【００１５】
依って、実際の使用に際しては、まず、薄肉ヒンジ５を介して挾持体１を展開状態に開放しながら、該挾持体１の保持溝３内に引掛金具Ｍのフック部Ｍｂを収納した後、挾持体１をＵ字状に閉じ合わせて、該フック部Ｍｂを挾持体１の対向する一対の挾持片２で挾持する状態を得て、斯かる状態のまま、上記した係合凸部４とスリット１３とを一致させながら、挾持体１をその連結部側から回転体１１の内側に強制的に差し込めば、回転体１１が挾持体１をその外側から抱持するので、これにより、図３に示す如く、回転体１１と挾持体１とが一体化する状態をもって、引掛金具Ｍが取付用ビットに保持されることとなるが、この場合には、引掛金具Ｍのフック部Ｍｂは、挾持体１の保持溝３内に収納されて、挾持体１側に対して移動不能に位置決めされ、挾持体１は、その各係合凸部４を回転体１１の対応する各スリット１３に係合している関係で、回転体１１と一体化されることとなるので、最終的には、引掛金具Ｍは取付用ビットと一緒に回転できることとなる。
【００１６】
そして、今度は、図４に示す如く、回転体１１の連結部外面に延設されているシャフト１４を、その六角形状と環状凹溝を利用して、電動ドリルＤの顎部Ｄａに回転可能に装着すれば、引掛金具Ｍ自体を電動ドリルＤを利用して回転させることができる状態となるので、後は、そのまま、引掛金具Ｍのネジ付脚部Ｍａの先端部を家屋の壁や柱に宛がいながら、電動ドリルＤを駆動させて、引掛金具Ｍの鍔部Ｍｃが壁面や柱面に接触するまで、取付用ビット自体を所定方向に回転させれば、引掛金具Ｍが壁や柱に自動的に打ち込まれるので、引掛金具Ｍを壁や柱に簡単に取り付けることが可能となる。従って、従来のように、壁や柱に下穴を開設する必要もなくなることは言うまでもないが、手で握って回転させなくとも、引掛金具Ｍを壁や柱に自動的に螺着できるので、取付作業が頗る容易となると共に、誤って、指を痛めてしまう恐れも全くない。
【００１７】
又、このように、引掛金具Ｍを取り付け後は、具体的には図示しないが、シャフト１４の電動ドリルＤに対する装着を解除して、回転体１１を挾持体１から引き抜き、薄肉ヒンジ５を介して挾持体１を展開状態に開放して、該挾持体１の保持溝３から引掛金具Ｍのフック部Ｍｂを取り外せば、これにより、単独で、引掛金具Ｍが壁や柱に取り付けられることとなるので、後は、当該引掛金具Ｍのフック部Ｍｂにカレンダーやハンガー等を容易に引っ掛けることが可能となる。
【００１８】
尚、上記した実施例にあっては、Ｌ字状に折曲したフック部Ｍｂを有する引掛金具Ｍを対象としたものであるが、本発明は、これに限定されるものではなく、例えば、Ｃ字状に湾曲したフック部Ｍｂを有する引掛金具Ｍの場合には、図５のＡに示す如く、対応する挾持体１の挾持片２の内面にＣ字形状と合致する保持溝３を形成し、Ｏ字状に湾曲するフックを有する引掛金具Ｍの場合には、図５のＢに示す如く、対応する挾持体１の挾持片２の内面にＯ字形状と合致する保持溝３を形成するものとする。
【００１９】
又、上記した実施例にあっては、挾持体１側に係合凸部４を設け、回転体１１側に係合凹部たるスリット１３を設けたものであるが、本発明にあっては、これも限定されるものではなく、逆に、挾持体１側に係合凹部を設け、回転体１１側に係合凸部４を設けることも可能であるが、実施例のように構成すれば、取付用ビット自体の小型化が期待できる。
【００２０】
更に、上記した実施例にあっては、挾持体１の対向する一方の挾持片２のみに保持溝３を独立して形成したものであるが、対向する双方の挾持片２の内面に保持溝３の半分を夫々形成して、挾持体１の各挾持片２を閉じ合わせた際に、完全なる保持溝３が画成されるように構成することも実施に応じ任意である。
【産業上の利用可能性】
【００２１】
本発明に係る引掛金具の取付用ビットは、電動ドリルを利用して、引掛金具を家屋の壁や柱に自動的に取り付けることができるので、従来と比較すると、その取付作業が容易となって、特に、引掛金具の本数が多い時には、頗る好都合なものとなる。
【図面の簡単な説明】
【００２２】
【図１】本発明の実施例に係る引掛金具の取付用ビットを示す分解斜視図である。
【図２】（Ａ）は図１のＡ−Ａ線断面図、（Ｂ）は挾持体をＵ字状に閉じ合わせた状態を示す断面図である。
【図３】引掛金具を取付用ビットで保持した状態を示す斜視図である。
【図４】使用状態を示す説明図である。
【図５】（Ａ)(Ｂ）は引掛金具のフック部と挾持体の保持溝の関係を他例をもって示す説明図である。
【符号の説明】
【００２３】
１    挾持体
２    挾持片
３    保持溝
４    係合凸部
５    薄肉ヒンジ
１１  回転体
１２  側片
１３  スリット（係合凹部）
１４  シャフト
Ｍ    引掛金具
Ｍａ  ネジ付脚部
Ｍｂ  フック部
Ｍｃ  鍔部
Ｄ    電気ドリル
Ｄａ  電動ドリルの顎部
【図１】
2009066704.tif 000003
【図２】
2009066704.tif 000004
【図３】
2009066704.tif 000005
【図４】
2009066704.tif 000006
【図５】
2009066704.tif 000007